(57)【要約】【課題】筐体をコンパクトにし、それにより安価なシート後処理装置を提供する。【解決手段】第１の後処理を行うシートｓを載置する第１トレイ３１の上に、第２の後処理を行うシートを載置する第２トレイ３２を設けるとともに、第１トレイおよび第２トレイを筐体２１外に設けるシート後処理装置において、第１の後処理および第２の後処理を行う後処理位置２４を同一とし、第１の後処理を行うとき、第１トレイを後処理位置まで移動して後、第１トレイ上にシートを載置してから第１の後処理を行い、一方、第２の後処理を行うとき、第２トレイを後処理位置まで移動して後、第２トレイ上にシートを載置してから第２の後処理を行い、その第２の後処理後のシートを第２トレイ上にスタックする。【選択図】　　　　図１
2004067253.tif 000002
【特許請求の範囲】
【請求項１】
第１の後処理を行うシートを載置する第１トレイの上または下に、第２の後処理を行うシートを載置する第２トレイを設けるとともに、前記第１トレイおよび前記第２トレイを筐体外に設けるシート後処理装置において、
前記第１の後処理および前記第２の後処理を行う後処理位置を同一とし、
前記第１の後処理を行うとき、前記第１トレイを前記後処理位置まで移動して後、前記第１トレイ上にシートを載置してから前記第１の後処理を行い、
一方、前記第２の後処理を行うとき、前記第２トレイを後処理位置まで移動して後、前記第２トレイ上にシートを載置してから前記第２の後処理を行い、その第２の後処理後のシートを第２トレイ上にスタックする、ことを特徴とするシート後処理装置。
【請求項２】
前記第１トレイから前記第１の後処理後のシートを排出トレイへ搬送してそこにスタックする後処理後搬送路を筐体外に設ける、ことを特徴とする請求項１に記載のシート後処理装置。
【請求項３】
前記第１トレイと前記第２トレイとを一体として設ける、ことを特徴とする請求項１、または２に記載のシート後処理装置。
【請求項４】
前記第１トレイと前記排出トレイとを一体として設ける、ことを特徴とする請求項１、または２に記載のシート後処理装置。
【請求項５】
前記第１トレイを着脱自在に設ける、ことを特徴とする請求項１、または２に記載のシート後処理装置。
【請求項６】
前記第１トレイと前記第２トレイと前記排出トレイとを一体とする排出トレイユニットを設け、その排出トレイユニットと前記第２トレイとを交換自在に設ける、ことを特徴とする請求項３または４に記載のシート後処理装置。
【請求項７】
前記後処理位置に、
前記第１トレイまたは前記第２トレイ上のシートの一部を載置する整合トレイと、
前記整合トレイ上に載置したシートを整合する整合手段とを設ける、ことを特徴とする請求項１ないし６のいずれか１に記載のシート後処理装置。
【請求項８】
前記排出トレイと前記第２トレイとを兼用する、ことを特徴とする請求項１、２、３、５、または７に記載のシート後処理装置。
【請求項９】
前記排出トレイを前記筐体内に設ける、ことを特徴とする請求項１、２、３、５、または７に記載のシート後処理装置。
【請求項１０】
前記第１の後処理がシートの中綴じである、ことを特徴とする請求項１ないし９のいずれか１に記載のシート後処理装置。
【請求項１１】
前記第１の後処理がシートの中折りである、ことを特徴とする請求項１ないし９のいずれか１に記載のシート後処理装置。
【発明の詳細な説明】
【０００１】
【発明の属する技術分野】
この発明は、コピーやプリンタやファクシミリまたはそれらの複合機などの画像形成装置に付属して備え、その画像形成装置からの画像形成済みシートに、中綴じ、端綴じ、ステッチ綴じ、中折り、糊付け、背貼り、またはテープ貼りなどの後処理を行うシート後処理装置に関する。
【０００２】
【従来の技術】
従来、中綴じおよび端綴じを行うシート後処理装置には、例えば、以下の公報に記載されるものがあった。
【０００３】
▲１▼　特開平８−３０１５１２号公報には、図５に示すように、第１トレイ１上のシート束を整合してから筐体２内に引き込み、そのシート束にステイプラ３を用い、後処理位置である中綴じ位置４で中綴じ（第１の後処理）、または端綴じ位置５で端綴じ（第２の後処理）のいずれかの後処理を行ってから、後処理後のシート束を筐体２内の後処理後搬送路６を通過させ、排出トレイ７上に排出するシート後処理装置が記載されていた。
【０００４】
▲２▼　さらにまた、特開２０００−２１１８０３号公報には、筐体内に中綴じ用の第１トレイおよびステイプラならびに端綴じ用の第２トレイおよびステイプラをそれぞれ別個に設けるシート後処理装置が記載されていた。このシート後処理装置は、中綴じを行う場合、第１トレイ上にシート束を載置してから、中綴じ用のステイプラを用いて中綴じを行って後、排出トレイ上に排出し、一方、端綴じを行う場合、第２トレイ上にシート束を載置してから、端綴じ用のステイプラを用いて端綴じを行って後、排出トレイ上に排出していた。
【０００５】
▲３▼　また、特開２００１−２４０３０３号公報には、図６に示すように、筐体１１内の第１トレイ１２上のシート束を整合してから筐体１１内に引き込み、そのシート束にステイプラ１３を用い、後処理位置である中綴じ位置１５で中綴じ（第１の後処理）、または端綴じ位置１４で端綴じ（第２の後処理）のいずれかの後処理を行ってから、後処理後のシート束を筐体１１外の排出トレイ１６上に排出するシート後処理装置が記載されていた。
【０００６】
【発明が解決しようとする課題】
▲１▼　しかし、特開平８−３０１５１２号公報に記載の技術は、後処理位置である中綴じ位置４、または端綴じ位置５から後処理後のシートを排出トレイ７へ搬送するための後処理後搬送路６を筐体２内に設けるため、筐体２が大型化する問題があった。
【０００７】
▲２▼　また、特開２００１−２４０３０３号公報に記載の技術は、筐体内に中綴じ用の第１トレイおよびステイプラならびに端綴じ用の第２トレイおよびステイプラをそれぞれ別個に設け、それらを設けるためのスペースを筐体内に必要とするため、筐体が大型化する問題があった。
【０００８】
▲３▼　さらにまた、特開２０００−２１１８０３号公報に記載の技術は、筐体１１内に第１トレイ１２のためのスペース必要とするため、筐体１１が大型化する問題があった。
【０００９】
このように、▲１▼ないし▲３▼のいずれのシート後処理装置も筐体が大型化する問題があった。
【００１０】
そこで、この発明の第１の目的は、筐体をコンパクトにし、それにより安価なシート後処理装置を提供することにある。
【００１１】
この発明の第２の目的は、筐体を一層コンパクトにし、それにより安価なシート後処理装置を提供することにある。
【００１２】
この発明の第３の目的は、第１トレイを移動する駆動手段と、第２トレイを移動する駆動手段とを共用し、それにより安価なシート後処理装置を提供することにある。
【００１３】
この発明の第４の目的は、第１トレイを移動する駆動手段と、排出トレイを移動する駆動手段とを共用し、それにより安価なシート後処理装置を提供することにある。
【００１４】
この発明の第５の目的は、ユーザーの要望に応じて、第１の後処理機能の追加または削除を簡単とすることにある。
【００１５】
この発明の第６の目的は、第１トレイ上に載置したシートを整合する整合手段と、第２トレイ上に載置したシートを整合する整合手段とを共用し、それにより安価なシート後処理装置を提供することにある。
【００１６】
この発明の第７の目的は、排出トレイと第２トレイとを兼用させることにより、安価なシート後処理装置を提供することにある。
【００１７】
この発明の第８の目的は、第２トレイ上に載置する第２の後処理後のシートを多く積載することにある。
【００１８】
【課題を解決するための手段】
そのため、請求項１に記載の発明は、上述した第１の目的を達成すべく、
第１の後処理を行うシートを載置する第１トレイの上または下に、第２の後処理を行うシートを載置する第２トレイを設けるとともに、第１トレイおよび第２トレイを筐体外に設けるシート後処理装置において、
第１の後処理および第２の後処理を行う後処理位置を同一とし、
第１の後処理を行うとき、第１トレイを後処理位置まで移動して後、第１トレイ上にシートを載置してから第１の後処理を行い、
一方、第２の後処理を行うとき、第２トレイを後処理位置まで移動して後、第２トレイ上にシートを載置してから第２の後処理を行い、その第２の後処理後のシートを第２トレイ上にスタックすることを特徴とする。
【００１９】
請求項２に記載の発明は、上述した第２の目的を達成すべく、
請求項１に記載のシート後処理装置において、
第１トレイから第１の後処理後のシートを排出トレイへ搬送してそこにスタックする後処理後搬送路を筐体外に設けることを特徴とする。
【００２０】
請求項３に記載の発明は、上述した第３の目的を達成すべく、
請求項１、または２に記載のシート後処理装置において、
第１トレイと第２トレイとを一体として設けることを特徴とする。
【００２１】
請求項４に記載の発明は、上述した第４の目的を達成すべく、
請求項１、または２に記載のシート後処理装置において、
第１トレイと排出トレイとを一体として設けることを特徴とする。
【００２２】
請求項５に記載の発明は、上述した第５の目的を達成すべく、
請求項１、または２に記載のシート後処理装置において、
第１トレイを着脱自在に設けることを特徴とする。
【００２３】
請求項６に記載の発明は、上述した第５の目的を達成すべく、
請求項３または４に記載のシート後処理装置において、
第１トレイと第２トレイと排出トレイとを一体とする排出トレイユニットを設け、その排出トレイユニットと第２トレイとを交換自在に設けることを特徴とする。
【００２４】
請求項７に記載の発明は、上述した第６の目的を達成すべく、
請求項１ないし６のいずれか１に記載のシート後処理装置において、
後処理位置に、
第１トレイまたは第２トレイ上のシートの一部を載置する整合トレイと、
整合トレイ上に載置したシートを整合する整合手段とを設けることを特徴とする。
【００２５】
請求項８に記載の発明は、上述した第７の目的を達成すべく、
請求項１、２、３、５、または７に記載のシート後処理装置において、
排出トレイと第２トレイとを兼用することを特徴とする。
【００２６】
請求項９に記載の発明は、上述した第８の目的を達成すべく、
請求項１、２、３、５、または７に記載のシート後処理装置において、
排出トレイを筐体内に設けることを特徴とする。
【００２７】
請求項１０に記載の発明は、
請求項１ないし９のいずれか１に記載のシート後処理装置において、
第１の後処理がシートの中綴じであることを特徴とする。
【００２８】
請求項１１に記載の発明は、
請求項１ないし９のいずれか１に記載のシート後処理装置において、
第１の後処理がシートの中折りであることを特徴とする。
【００２９】
【発明の実施の形態】
以下、図面を参照しつつ、この発明の実施の形態につき説明する。
図１には、この発明によるシート後処理装置の全体構成を示す。
【００３０】
このシート後処理装置の筐体２１内には、不図示の画像形成装置から排出されたシートｓが右側から送り込まれ、図１中一点鎖線で示すシート搬送路Ａに沿って矢印方向に搬送される。
【００３１】
そのシート搬送路Ａには、回動自在の切換爪２２と、シートｓを排出する一対の第１排出ローラ２３とを順に設ける。
【００３２】
シート搬送路Ａの下流には、後述する第１の後処理および第２の後処理を行う、後処理位置２４を同一として備える。その後処理位置２４に、シートｓの一部を載置する整合トレイ２５と、その整合トレイ２５上に載置したシートｓを整合する整合手段とを設ける。その整合手段には、シート搬送方向の整合を行うタタキコロ２６とシート横方向の整合を行う不図示のジョガーとがある。
【００３３】
整合トレイ２５の図中右には、第２の後処理である例えばシートｓの端綴じを行う第２ステイプラー２７を設ける。
【００３４】
その第２ステイプラー２７の近傍には、整合トレイ２５上のシートｓを移動する移動手段２８を設ける。
【００３５】
ところで、このシート後処理装置には、シート搬送路Ａの途中から分岐する縦搬送路Ｂを備える。
【００３６】
その縦搬送路Ｂの出口付近には、シートｓを排出する一対の第２排出ローラ２９を設ける。また、筐体２１には、第２排出ローラ２９から排出するシートｓをスタックするプルーフトレイ３０を設ける。
【００３７】
ところで、筐体２１外には、第１の後処理を行うシートｓを載置する第１トレイ３１と、第２の後処理を行うシートｓを載置する第２トレイ３２と、第１の後処理後のシートｓをスタックする排出トレイ３３とを一体とする排出トレイユニット３４を設ける。
【００３８】
図１に示す排出トレイユニット３４は、第１トレイ３１の上に第２トレイ３２を設け、第１トレイ３１の下に排出トレイ３３を設けている。
【００３９】
さらに、その排出トレイユニット３４には、第１トレイ３１上のシートｓに第１の後処理である例えばシートｓの中綴じを行う第１ステイプラー３５と、同じく第１の後処理である例えば中折りを行う押爪３６および一対の折りローラ３７と、第１トレイ３１から第１の後処理後のシートｓを排出トレイ３３へ搬送する後処理後搬送路３８とを設ける。
【００４０】
したがって、第１トレイ３１と第２トレイ３２と後処理後搬送路３８とは、筐体２１外に設けている。
【００４１】
また、上述した排出トレイユニット３４は、着脱自在に筐体２１に取り付けるとともに、不図示の駆動手段により上下に移動可能としている。
【００４２】
さて、いまこのシート後処理装置を用いてシートｓを排出する場合、シートｓに後処理を行わないノンステイプルモードと、第１の後処理であるシート束Ｓの中央にステイプルを行い、かつシート束Ｓの中央で中折りを行う中綴・中折ステイプルモードと、第２の後処理であるシート束Ｓの端にステイプルを行う端綴ステイプルモードとの３つのモードがある。
【００４３】
ノンステイプルモードのとき、あらかじめ切換爪２２を回動する。
【００４４】
そして、不図示の画像形成装置から排出されたシートｓが、シート搬送路Ａに沿って搬送されるが、切換爪２２により、シート搬送路Ａから縦搬送路Ｂへと搬送された後、第２排出ローラ２９により排出され、プルーフトレイ３０上にスタックされる。
【００４５】
ところで、中綴・中折ステイプルモードでシート束Ｓに第１の後処理を行うとき、あらかじめ切換爪２２を回動せずに図示のとおりとするとともに、排出トレイユニット３４を上下に移動することにより、図示のとおり第１トレイ３１を後処理位置２４まで移動する。また、タタキコロ２６をシート搬送路Ａへ進出させるとともに、そのタタキコロ２６のローラを反時計回り、すなわちシート搬送方向と反対の方向に回転させる。
【００４６】
そして、不図示の画像形成装置から排出されたシートｓが、シート搬送路Ａに沿って搬送され、第１排出ローラ２３によって排出されるが、シートｓがタタキコロ２６のローラに接触すると、そのローラの回転により整合トレイ２５上に載置されるとともに、第２スイテイプラ２７の上流側基準位置Ｃに押し当てられて、シート搬送方向の整合を行う。また、このとき、不図示のジョガーによりシート横方向の整合も行う。その後、タタキコロ２６をシート搬送路Ａから後退するとともに、次のシートｓの搬送に備える。
【００４７】
以下同様にして、所要のシートｓを第１トレイ３１および整合トレイ２５上に載置して、シート束Ｓとする。その後、そのシート束Ｓのサイズに応じて、シート束Ｓの中央が第１ステイプラ３５の綴じ位置となるまで、シート束Ｓを移動手段２８により移動する。そして、その位置となると、移動手段２８は停止する。
【００４８】
一方、シート束Ｓは、第１ステイプラー３５によりその中央をステイプルされる。その後、移動手段２８により、シート束Ｓの中央が押爪３６の直下となるまで、再びシート束Ｓを移動する。その後、移動手段２８は後退し、元の位置まで戻ると停止して待機し、次のシート束Ｓの移動に備える。
【００４９】
次に、排出トレイユニット３４では、押爪３６を押し下げるとともに、折りローラ３７を回転させて、シート束Ｓの中央を折って中折りし、第１の後処理を行う。
【００５０】
その後、さらに折りローラ３７を回転させて、シート束Ｓを後処理後搬送路３８へ搬送し、その後、シート束Ｓは自重により排出トレイ３３にスタックされる。
【００５１】
ところで、端綴ステイプルモードでシート束Ｓに第２の後処理を行うとき、あらかじめ切換爪２２を回動せずに図示のとおりとするとともに、排出トレイユニット３４を上下に移動することにより、第２トレイ３２を上述した後処理位置２４まで移動する。また、タタキコロ２６をシート搬送路Ａへ進出させるとともに、そのタタキコロ２６のローラを反時計回り、すなわちシート搬送方向と反対の方向に回転させる。
【００５２】
そして、不図示の画像形成装置から排出されたシートｓが、シート搬送路Ａに沿って搬送され、第１排出ローラ２３によって排出されるが、シートｓがタタキコロ２６のローラに接触すると、そのローラの回転により整合トレイ２５上に載置されるとともに、第２スイテイプラ２７の上流側基準位置Ｃに押し当てられて、シート搬送方向の整合を行う。また、このとき、不図示のジョガーによりシート横方向の整合も行う。その後、タタキコロ２６をシート搬送路Ａから後退するとともに、次のシートｓの搬送に備える。
【００５３】
以下同様にして、所要のシートｓを第２トレイ３２および整合トレイ２５上に載置して、シート束Ｓとする。
【００５４】
その後、第２ステイプラー２７によりシート束Ｓの端をステイプルして、第２の後処理を行ってから、移動手段２８により、シート束Ｓを整合トレイ２５上から移動するとともに、排出トレイユニット３４をシート束Ｓの厚さ、下に移動し、第２の後処理後のシートを第２トレイ３２上にスタックして後、次のシートｓの搬送に備える。
【００５５】
なお、前述したように、図１のシート後処理装置は、第１トレイ３１の上に第２トレイ３２を設けるが、図示省略するが、それらの位置を入れ替えて、第１トレイの下に第２トレイを設けても、もちろんよい。
【００５６】
ところで、このようなシート後処理装置において、上述した第１トレイ３１を排出トレイユニット３４に着脱自在に設けてもよい。
【００５７】
そして、シートに中綴じ、および中折りを行う第１の後処理機能を削除したい場合は、排出トレイユニット３４から第１トレイ３１を取り外す。
【００５８】
一方、シートに中綴じ、および中折りを行う第１の後処理機能を追加したい場合は、排出トレイユニット３４に第１トレイ３１を取り付ける。
【００５９】
よって、第１トレイ３１を着脱自在に設け、ユーザーの要望に応じて、第１トレイ３１を簡単に着脱できるため、シートに中綴じ、および中折りを行う第１の後処理機能の追加または削除を簡単にできる。
【００６０】
また、上述した例は、第１の後処理として、シートｓに中折り、および中綴じを行うものの例を示したが、この発明はこれに限られず、第１の後処理が、シートｓにステッチ綴じ、糊付け、背張り、またはテープ貼りなど、もしくは中折りのみ、または中綴じのみを行うものでもよい。
【００６１】
ところで、このようなシート後処理装置において、排出トレイユニット３４と第２トレイ３２とを交換自在に設けてもよい。
【００６２】
そして、シートに中綴じ、および中折りを行う第１の後処理機能を削除したい場合は、図２に示すように、排出トレイユニット３４を取り外して、第２トレイ３２を取り付ける。
【００６３】
一方、シートに中綴じ、および中折りを行う第１の後処理機能を追加したい場合は、第２トレイ３２を取り外して、排出トレイユニット３４を取り付ける。
【００６４】
よって、排出トレイユニット３４と第２トレイ３２とを交換自在に設け、ユーザーの要望に応じて、排出トレイユニット３４と第２トレイ３２とを簡単に交換できるため、中綴じ、および中折りを行う第１の後処理機能の追加または削除を簡単にできる。
【００６５】
また、この発明によるシート後処理装置の他例の全体構成を図３に示す。
【００６６】
このシート後処理装置は、上述した排出トレイユニット３４から排出トレイ３３と後処理後搬送路３８とをのぞいてトレイユニット４０としている。つまり、このトレイユニット４０は、第１トレイ３１の上に第２トレイ３２を一体として設けている。また、排出トレイ４２を第２トレイ３２と同一形状として設けている。
【００６７】
このようにするとともに、前述したように、第１の後処理を行うとき、第１トレイ３１を後処理位置４７まで移動して後、第１トレイ３１上にシートを載置してから第１の後処理を行い、第１の後処理後のシートを排出トレイ４２上にスタックする一方、第２の後処理を行うとき、排出トレイ４２を後処理位置４７まで移動して後、排出トレイ４２上にシートを載置してから、第２の後処理を行い、その第２の後処理後のシートを排出トレイ４２上にスタックしてもよい。
【００６８】
このようにすると、排出トレイと第２トレイとを兼用するので、それによりシート後処理装置を安価にできる。
【００６９】
なお、図示省略するが、上述した排出トレイ４２を複数備えてもよい。このように排出トレイを複数設け、出力先を複数有するマルチトレイフニィシュヤーとすると、それら複数の排出トレイ４２に、中綴じ、および中折りを行った第１の後処理後のシートを仕分けて、それぞれの排出トレイに排出するので、簡単に仕分けることができる。
【００７０】
さらにまた、この発明によるシート後処理装置のさらに他例の全体構成を図４に示す。
【００７１】
このシート後処理装置は、上述と同様にトレイユニット４０を備えている。また、排出トレイ４３を筐体２１内に設けている。さらに、折りローラ３７の下に後処理後搬送路ガイド４４を図示のとおり設けることにより、後処理後搬送路４６を筐体２１外から筐体２１内へ戻るように備える。その後処理後搬送路４６の出口には、シート束Ｓを排出するときのみに開く開閉手段４５を設けている。
【００７２】
このようにすると、トレイユニット４０の長さを排出トレイユニット３４より短くし、それにより第２トレイ３２の稼動範囲を大きくするので、第２トレイ３２上に載置する第２の後処理後のシート束Ｓを多く積載することができる。
【００７３】
【発明の効果】
以上説明したとおり、この発明によれば、筐体外に第１トレイおよび第２トレイを設けるとともに、第１トレイの上または下に第２トレイを設け、第１トレイと第２トレイとを上下に重ねて設けるので、シート後処理装置の筐体をコンパクトにし、それにより安価なシート後処理装置を提供できる。
【００７４】
加えて、第２の後処理後のシートを第２トレイ上にスタックするので、第２の後処理後のシートをスタックするためのトレイや、そのトレイへ搬送するための搬送路等を不要にできるので、シート後処理装置をコンパクトにし、それにより安価なシート後処理装置を提供できる。
【００７５】
加えて、第１の後処理および第２の後処理を行う後処理位置を同一とし、第１の後処理を行うとき、第１トレイを後処理位置まで移動して後、第１トレイ上にシートを載置してから第１の後処理を行い、一方、第２の後処理を行うとき、第２トレイを後処理位置まで移動して後、第２トレイ上にシートを載置してから第２の後処理を行い、後処理位置のトレイを切り換えるだけで、第１の後処理と第２の後処理とを切り換えられるので、後処理の変更を簡単にできる。
【００７６】
請求項２に記載の発明によれば、第１トレイから第１の後処理後のシートを排出トレイへ搬送してそこにスタックする後処理後搬送路を筐体外に設けるので、筐体を一層コンパクトにし、それにより安価なシート後処理装置を提供できる。
【００７７】
請求項３に記載の発明によれば、第１トレイと第２トレイとを一体として設け、第１トレイと第２トレイとを連動して移動し、第１トレイを移動する駆動手段と、第２トレイを移動する駆動手段とを共用とするので、シート後処理装置を安価にできる。
【００７８】
請求項４に記載の発明によれば、第１トレイと排出トレイとを一体として設け、第１トレイと排出トレイとを連動して移動し、第１トレイを移動する駆動手段と、排出トレイを移動する駆動手段とを共用とするので、シート後処理装置を安価にできる。
【００７９】
請求項５に記載の発明によれば、第１トレイを着脱自在に設け、ユーザーの要望に応じて、第１トレイを簡単に着脱できるため、第１の後処理機能の追加または削除を簡単にできる。
【００８０】
請求項６に記載の発明によれば、第１トレイと第２トレイと排出トレイとを一体とする排出トレイユニットを設け、その排出トレイユニットと第２トレイとを交換自在に設け、ユーザーの要望に応じて、排出トレイユニットと第２トレイを簡単に交換できるため、第１の後処理機能の追加または削除を簡単にできる。
【００８１】
請求項７に記載の発明によれば、後処理位置に、第１トレイまたは第２トレイ上のシートの一部を載置する整合トレイと、整合トレイ上に載置したシートを整合する整合手段とを設け、第１トレイ上のシートを整合する整合手段と、第２トレイ上のシートを整合する整合手段とを共用するので、安価なシート後処理装置を提供できる。
【００８２】
請求項８に記載の発明によれば、排出トレイと第２トレイとを兼用するので、安価なシート後処理装置を提供できる。
【００８３】
請求項９に記載の発明によれば、排出トレイを筐体内に設け、それにより第２トレイの稼動範囲を大きくするので、第２トレイ上に載置する第２の後処理後のシートを多く積載することができる。
【図面の簡単な説明】
【図１】この発明によるシート後処理装置の一例の全体概略構成図である。
【図２】そのシート後処理装置において、排出トレイユニットを取り外し、第２トレイを取り付ける説明図である。
【図３】この発明によるシート後処理装置の他例の全体概略構成図である。
【図４】この発明によるシート後処理装置のさらに他例の全体概略構成図である。
【図５】従来のシート後処理装置の全体概略構成図である。
【図６】従来のシート後処理装置の全体概略構成図である。
【符号の説明】
２１　　筐体
２４、４７　　後処理位置
２５　　整合トレイ
２６　　タタキコロ（整合手段）
３１　　第１トレイ
３２　　第２トレイ
３３、４２、４３　　排出トレイ
３８、４６　　後処理後搬送路
ｓ　　シート
【図１】
2004067253.tif 000003
【図２】
2004067253.tif 000004
【図３】
2004067253.tif 000005
【図４】
2004067253.tif 000006
【図５】
2004067253.tif 000007
【図６】
2004067253.tif 000008